(57)【要約】【課題】ポンプの温度上昇を抑制することができる人体乾燥装置を提供する。【解決手段】空気を加圧する加圧手段２２と、この加圧手段２２により発生した高圧空気を溜める蓄圧手段２３と、この蓄圧手段２３からの高圧空気を噴出させる乾燥ノズル２４とを備え、加圧手段２２をポンプユニット５０と、このポンプユニット５０を冷却する冷却手段５１により構成している。脱臭装置を有する衛生洗浄装置で洗浄された人体を乾燥させる場合、冷却手段を脱臭装置の吸引ファン装置を利用することができる。ポンプユニットをポンプモータで作動する場合、冷却手段はポンプモータを吸引ファンモータに共用することができる。【選択図】　図１
2004092114.tif 000002
【特許請求の範囲】
【請求項１】
空気を加圧する加圧手段と、この加圧手段により発生した高圧空気を溜める蓄圧手段と、この蓄圧手段からの前記高圧空気を噴出させる乾燥ノズルとを備え、前記加圧手段をポンプユニットと、このポンプユニットを冷却する冷却手段により構成したことを特徴とする人体乾燥装置。
【請求項２】
乾燥ノズルは、脱臭装置を有する衛生洗浄装置で洗浄された人体を乾燥させるものであり、冷却手段は前記脱臭装置の吸引ファン装置を利用している請求項１記載の人体乾燥装置。
【請求項３】
ポンプユニットはポンプモータを有し、冷却手段は前記ポンプモータを吸引ファン装置のモータに共用する請求項２記載の人体乾燥装置。
【請求項４】
温風ファン装置を具備する温風乾燥装置を有し、冷却手段は前記温風ファン装置を利用する請求項１記載の人体乾燥装置。
【請求項５】
温風ファンモータを具備した温風乾燥装置を有し、ポンプユニットのポンプモータは前記温風ファンモータを共用する請求項１記載の人体乾燥装置。
【請求項６】
冷却手段は便器洗浄タンク内の水を冷却用として循環ポンプでポンプユニットに循環させる請求項１記載の人体乾燥装置。
【請求項７】
乾燥ノズルは、洗浄ノズルを有する衛生洗浄装置で洗浄された人体を乾燥させるものであり、冷却手段は洗浄水を冷却用としてポンプユニットに導く請求項１記載の人体乾燥装置。
【請求項８】
衛生洗浄装置は洗浄水を加熱する加熱器を有し、ポンプユニットは前記加熱器の上流に設けた請求項７記載の人体乾燥装置。
【請求項９】
衛生洗浄装置は洗浄ノズルを洗浄するノズル洗浄装置を有し、冷却手段は前記ノズル洗浄装置の洗浄用の水を冷却用として前記ポンプユニットに導く請求項１記載の人体乾燥装置。
【発明の詳細な説明】
【０００１】
【発明の属する技術分野】
本発明は、例えばシャワーや衛生洗浄便座等に適用される衛生洗浄装置の洗浄後の乾燥等に使用する人体乾燥装置に関し、主に衛生洗浄装置で洗浄された人体を乾燥させる乾燥ノズルを備え、その乾燥ノズルを便器ボウルの後方に配設した人体乾燥装置に関するものである。
【０００２】
【従来の技術】
従来の衛生洗浄装置、例えば特開昭５８−２１８５３１　号を図１０に示す。１は便器、２は便座、３は便座蓋、９は水洗タンク（ロータンク）である。４は衛生洗浄装置の本体ケース、５は乾燥用の温風吹出装置、７はその温風吹出口、８は洗浄水噴射ノズル、１１は洗浄水送水用ポンプ、１２は温水タンク、１３は空気圧縮機、１４は高圧空気溜め、１５は電磁弁、１６は便座２内に設けた空洞、１７は高圧ホース、１８は空気噴出ノズルである。
【０００３】
人体１０が便座２に着座し用便等の後、洗浄操作を行うと、洗浄水送水用ポンプ１１が稼働し、温水タンク１２を通して洗浄水噴射ノズル８より温水が被洗浄面に噴射され、これにより洗浄面を洗浄する。洗浄後乾燥操作により空気圧縮機１３が稼働し、高圧空気溜め１４、電磁弁１５、高圧ホース１７、空洞１６および空気噴出ノズル１８を通して高圧空気が被洗浄面に噴出し、被洗浄面に付着した水滴を吹き飛ばし拡散させる。つぎに温風吹出装置５を稼働させ風路６を通して温風吹出口７より４０度前後の温風を被洗浄面に吹き出し被洗浄面の乾燥を行う。
【０００４】
【発明が解決しようとする課題】
臀部等の被洗浄面を洗浄水により洗浄後、多量の水が付着した臀部を乾燥する場合、水滴を高圧空気で吹き飛ばすことなく温風乾燥装置により温風乾燥するとき、水が薄い水膜状になっている部分では比較的速やかに乾燥されるが、水滴状になって残留付着した部分は温風を長時間吹きつけないと乾燥せず、そのため時間がかかり過ぎ、長時間温風を当てることにより臀部に炎症が起こる可能性がある。
【０００５】
そこで、空気圧縮機を設けて空気噴出ノズルにより高速の噴流を噴射させ、残留付着した水滴を吹き飛ばし拡散させると、細かな水滴または薄い水膜状になるので、その後温風乾燥すると、濡れた被洗浄面の全体を短時間で万遍なく乾燥することができる。
【０００６】
しかし、空気圧縮機は例えばピストンポンプ等を使用しており、稼働に際しポンプの発熱による温度上昇が問題となった。
【０００７】
したがって、この発明の目的は、ポンプの温度上昇を抑制することができる人体乾燥装置を提供することである。
【０００８】
【課題を解決するための手段】
請求項１記載の人体乾燥装置は、空気を加圧する加圧手段と、この加圧手段により発生した高圧空気を溜める蓄圧手段と、この蓄圧手段からの前記高圧空気を噴出させる乾燥ノズルとを備え、前記加圧手段をポンプユニットと、このポンプユニットを冷却する冷却手段により構成したことを特徴とするものである。
【０００９】
請求項１記載の人体乾燥装置によれば、ポンプユニットに冷却手段を設け、稼働時の発熱によるポンプユニットの温度上昇を抑え、耐久性の向上と安全性の確保を図れる。
【００１０】
請求項２記載の人体乾燥装置は、請求項１において、乾燥ノズルが、脱臭装置を有する衛生洗浄装置で洗浄された人体を乾燥させるものであり、冷却手段は脱臭装置の吸引ファン装置を共用しているものである。
【００１１】
請求項２記載の人体乾燥装置によれば、冷却手段として冷却ファンを追加することなくポンプユニットを冷却することができる。
【００１２】
請求項３記載の人体乾燥装置は、請求項２において、ポンプユニットがポンプモータを有し、冷却手段はポンプモータを吸引ファン装置のモータに共用するものである。
【００１３】
請求項３記載の人体乾燥装置によれば、請求項２と同様な効果のほか、省スペース化および低コスト化を図れる。
【００１４】
請求項４記載の人体乾燥装置は、請求項１において、温風ファン装置を具備する温風乾燥装置を有し、冷却手段は温風ファン装置を利用するものである。
【００１５】
請求項４記載の人体乾燥装置によれば、請求項１と同様な効果のほか、冷却手段として冷却ファンを追加することなくポンプユニットを冷却することができる。またポンプ熱を温風の加熱に利用できるので高温化が図れるとともに、温風乾燥装置のヒータの能力を小さくすることができる。
【００１６】
請求項５記載の人体乾燥装置は、請求項１において、温風ファンモータを具備した温風乾燥装置を有し、ポンプユニットのポンプモータは温風ファンモータを共用するものである。
【００１７】
請求項５記載の人体乾燥装置によれば、請求項１と同様な効果のほか、省スペース化および低コスト化が図れる。
【００１８】
請求項６記載の人体乾燥装置は、請求項１において、冷却手段が便器洗浄タンク内の水を冷却用として循環ポンプでポンプユニットに循環させるものである。
【００１９】
請求項６記載の人体乾燥装置によれば、請求項１と同様な効果のほか、ポンプユニットを遮音ケースに収納しても効率よくポンプユニットを冷却することができる。
【００２０】
請求項７記載の人体乾燥装置は、請求項１において、乾燥ノズルが、洗浄ノズルを有する衛生洗浄装置で洗浄された人体を乾燥させるものであり、冷却手段は洗浄水を冷却用としてポンプユニットに導くものである。
【００２１】
請求項７記載の人体乾燥装置によれば、請求項１と同様な効果のほか、請求項６のような循環ポンプや切り替え弁が不要であり、省スペースとコストダウンを図ることができる。
【００２２】
請求項８記載の人体乾燥装置は、請求項７において、衛生洗浄装置は洗浄水を加熱する加熱器を有し、ポンプユニットは加熱器の上流に設けたものである。
【００２３】
請求項８記載の人体乾燥装置によれば、請求項７と同様な効果のほか、低温の水でポンプユニットを冷却するので、冷却効率を高めるとともに、加熱器の省エネルギーにもなる。
【００２４】
請求項９記載の人体乾燥装置は、請求項１において、衛生洗浄装置が洗浄ノズルを洗浄するノズル洗浄装置を有し、冷却手段はノズル洗浄装置の洗浄用の水を冷却用としてポンプユニットに導くものである。
【００２５】
請求項９記載の人体乾燥装置によれば、請求項１と同様な効果のほか、ポンプユニットの稼働と、洗浄ノズルを洗浄する水の供給のタイミングがほぼ同じであるため、乾燥工程前にポンプユニットを稼働する必要がなく、蓄圧手段の例えば蓄圧タンクを小さくすることができる。
【００２６】
【発明の実施の形態】
この発明の第１の実施の形態を図１および図２により説明する。図１は、衛生洗浄装置を装備した便器ユニットを示している。１は便器、１ａは便器ボウル、２は便座、３は便座蓋、９は水洗タンク（ロータンク）である。
【００２７】
４は衛生洗浄装置の本体ケースである。この内部には洗浄水を加熱する加熱手段およびその温水を圧送する送水ポンプ（図示せず）を設け、送水ポンプに人体を洗浄する洗浄ノズル１０を接続し、洗浄ノズル１０を便器ボウル１ａに配設している。洗浄ノズル１０は便器ボウル１ａの後部より中央方向に向けて突出している。水道管に給水元弁を介して加熱手段に水を給水して加熱し、送水ポンプで洗浄ノズル１０に圧送し、洗浄ノズル１０から被洗浄面に噴射しこれにより洗浄が行われる。
【００２８】
また衛生洗浄装置は、洗浄後の被洗浄面を乾燥するため、被洗浄面に残留付着した水滴を吹き飛ばして飛散または拡散させる人体乾燥装置と、温風乾燥手段を設けている。
【００２９】
人体乾燥装置は、空気を加圧する加圧手段２２と、加圧手段２２により発生した高圧空気を溜める蓄圧手段２３と、蓄圧手段２３からの高圧空気を噴出させる乾燥ノズル２４とを備えている。加圧手段２２および蓄圧手段２３は便器１の後部に内蔵されている。乾燥ノズル２４は便器１に配設されて洗浄後の人体の被洗浄面を乾燥させるものであり、乾燥時に便器ボウル１ａ内の中央寄りに突出して被洗浄面に略垂直に高圧空気を噴出する。乾燥ノズル２４は公知の手段例えばモータ駆動や水圧駆動により、伸縮または折り畳み可能に構成して乾燥時に便器ボウル１ａ内の中央寄りに位置させる。また乾燥ノズル２４からの噴出は制御弁例えば電磁弁２５により制御される。
【００３０】
温風乾燥手段は、温風を発生する温風吐出手段（図示せず）と、発生した温風を被洗浄面に向けて吹き出すノズル（図示せず）からなる。
【００３１】
４０はコンセント、４１はコンセント４０に接続される受電部、４２は操作パネル、４３はリモコン操作器である。リモコン操作器４３は送信信号を操作パネル４２等に設けた受信部で受信させることにより、操作パネル４２を直接操作したのと同様に遠隔操作可能にしている。
【００３２】
この衛生洗浄装置は、便座蓋３を開き便座２に着座し、用便等の後に操作パネル４２またはリモコン操作器４３を操作して、まず洗浄が行われる。これは給水元弁が開き水道水が加熱手段に供給されて加熱され、送水ポンプにより洗浄ノズル１０から洗浄水が噴出し被洗浄面を洗浄する。つぎに人体乾燥装置を操作し、高圧空気を被洗浄面に吹きつけて水滴を吹き飛ばして拡散する。これは加圧手段２２の動作により蓄圧手段２３に高圧空気を溜め、電磁弁２５を開いて蓄圧手段２３から乾燥ノズル２４に高圧空気を送り被洗浄面に噴出させる。その後または人体乾燥装置と同時に温風乾燥手段を操作し温風を被洗浄面に吹き出して温風乾燥する。
【００３３】
図２は人体乾燥装置の詳細を示している。すなわち、４６はダクト本体であり、本体ケース４内に配置され、一端が排気口４７となり、他端は吸引口４８として便器ボウル１ａ内に延出している。排気口４７は本体ケース４外に開口するように構成される。構成ダクト本体４６内に加圧手段２２および例えばタンクを用いた蓄圧手段２３が配置されている。加圧手段２２はポンプユニット５０とこれを冷却する冷却手段５１により構成している。実施の形態において、ポンプユニット５０は例えばピストンポンプを用い、これをポンプユニット５０に設けたポンプモータ５２で駆動している。ポンプユニット５０は蓄圧手段２３よりもダクト本体４６の排気口４７側に配置し、ポンプモータ５２はモータ軸を排気口４７の方向に向けている。ポンプユニット５０と蓄圧手段２３が配管５４により連結され、蓄圧手段２３が配管５５を介して乾燥ノズル２４に接続され、配管５５の途中に電磁弁２５を設けている。冷却手段５１はポンプモータ５２とそのモータ軸に連結した冷却ファンにより構成している。したがって、被洗浄面を洗浄時またはその後、自動的にまたは人体乾燥のための操作をすることで、ポンプモータ５２が作動してポンプユニット５０が稼働し、高圧空気を発生して蓄圧手段２３に供給して高圧空気を蓄える。そして乾燥時に電磁弁２５を自動または手動で開弁操作することにより、乾燥ノズル２４から高圧空気を噴出させる。またポンプモータ５２の動作に伴って冷却ファンが回転し、吸引口４８から風を吸込みダクト本体４６内を流れ蓄圧手段２３、ポンプユニット５０およびポンプモータ５２を冷却しながら排気口４７より排気される。これにより、ポンプユニット５０の温度上昇を抑え、耐久性の向上と安全性の確保が図れる。またポンプモータ５２で冷却ファンの駆動を兼用しているので省スペースかつ低コスト化が可能である。
【００３４】
この発明の第２の実施の形態を図３に示す。この人体乾燥装置は第１の実施の形態において、ダクト本体４６内に脱臭剤５７および吸引ファン装置５８を設けて脱臭装置を構成している。脱臭剤５７および吸引ファン装置５８はダクト本体４６内の吸引口４８寄りに配置し、吸引ファン装置５８の排気側に加圧手段２２および蓄圧手段２３を配置している。冷却手段５１は第１の実施の形態の冷却ファンを省略する代わりに吸引ファン装置５８を兼用している。またポンプモータ５２のモータ軸を排気方向に対して直角に縦に配置し、脱臭装置を構成することによりダクト本体１が長くなるのを防止している。したがって、吸引ファン装置５８を作動すると、吸引口４８より排気口４７に向けて風が流れ、脱臭剤５７を通過することにより脱臭されるとともに、ポンプユニット５０等が冷却される。
【００３５】
このように、第２の実施の形態では乾燥ノズル２４が、脱臭装置を有する衛生洗浄装置で洗浄された人体を乾燥させるものであり、冷却手段５１は脱臭装置の吸引ファン装置５８を利用しているものである。このため、脱臭効果により快適な環境を得るとともに、冷却手段５１として冷却ファンを追加することなくポンプユニット５０を冷却することができる。その他は第１の実施の形態と同様である。
【００３６】
この発明の第３の実施の形態を図４に示す。この人体乾燥装置は、第２の実施の形態において、吸引ファン装置５８を省略し、代わりに第１の実施の形態のようにポンプモータ５２のモータ軸を排気側に向け、これに冷却ファンを取付けて、この冷却手段５１によりポンプモータ５２を吸引ファン装置５８のモータに共用している。したがって脱臭効果および冷却効果は第２の実施の形態と同様であるが、省スペース化および低コスト化がさらに図れる。
【００３７】
この発明の第４の実施の形態を図５に示す。この人体乾燥装置は、第１の実施の形態において、ダクト本体４６の一端の便器ボウル１ａ内への延出側を吐出ノズル４８ａとし、他端を吸引口４７ａとし、ダクト本体４６内の一端側にヒータ６０と温風ファン装置６１を内蔵し、これにより温風乾燥手段を構成している。加圧手段２２および蓄圧手段２３は温風ファン装置６１よりも吸引側に配置されている。この場合、冷却手段５１の冷却ファンは省略して温風ファン装置６１で兼用し、ポンプモータ５２を図３と同様にポンプユニット５０の上側に縦に設けている。これにより温風乾燥手段と人体乾燥装置とがダクト本体４６に略一体に組合わさり、かつ冷却手段５１に温風乾燥手段の温風ファン装置６１を利用した構成となる。
【００３８】
洗浄水により被洗浄面を洗浄後、被洗浄面を乾燥する際、ポンプユニット５０を稼働し高圧空気を乾燥ノズル２４より噴射させ、被洗浄面の水滴を飛散し拡散させる。この間温風ファン装置６１を作動することによりポンプユニット５０、ポンプモータ５２および蓄圧手段２３を冷却するとともにノズル４８ａより吹き出す風は若干温められて被洗浄面に当たる。つぎにまたはこれと同時に温風乾燥するときヒータ６０を動作させると温風が被洗浄面に当たり被洗浄面を温風乾燥する。
【００３９】
この実施の形態によれば、冷却手段５１として冷却ファンを追加することなくポンプユニット５０を冷却することができる。またポンプ熱を温風の加熱に利用できるので高温化が図れるとともに、温風乾燥装置のヒータの能力を小さくすることができる。
【００４０】
この発明の第５の実施の形態を図６に示す。この人体乾燥装置は、第４の実施の形態において、温風ファン装置６１を省略し、代わりにポンプユニット５０のポンプモータ５２を例えば図２と同様に横向きにし吸引口４７ａに向くモータ軸の先端に冷却手段５１の冷却ファンを設け、この冷却ファンで温風ファン装置６１のファンと温風ファンモータを兼用している。その他は、第４の実施の形態と同様である。
【００４１】
この発明の第６の実施の形態を図７に示す。この人体乾燥装置は、第１の実施の形態において、冷却手段５１は便器洗浄用の水洗タンク９内の水９ａを冷却用として循環ポンプ６３でポンプユニット５０に循環するものである。実施の形態では冷却手段におけるダクト本体４６および冷却ファンを省略し、ポンプユニット５０のシリンダ部５０ａおよびポンプモータ５２の外周に冷却パイプ６４を巻付けるとともに、ポンプユニット５０を遮音ケース６５内に収納している。遮音ケース６５の内面には遮音材６６を張るとともにポンプユニット５０を防振材６７を介してケース６５に取付けている。冷却パイプ６４の両端を循環パイプ６９を介して水洗タンク９内に開放し少なくともその一端を水洗タンク９の水位下に配置し、循環パイプ６９の途中に循環ポンプ６３を設けている。循環ポンプ６３を稼働すると水洗タンク９内の水９ａが循環パイプ６９の一方から流れ込み冷却パイプ６４を通って再び水洗タンク９内に戻る。この間にポンプユニット５０によって加熱された冷却パイプ６４は中を通る水９ａによって冷却されるので、ポンプユニット５０が冷却される。循環ポンプ６３は小形のものでよく発生する音も気にならない程度である。７０は便器ボウル１ａを洗浄するための水９ａを便器ボウル１ａに供給するための弁である。
【００４２】
この実施の形態によれば、ポンプユニット５０を遮音ケース６５に収納しても効率よくポンプユニット５０を冷却することができる。
【００４３】
この発明の第７の実施の形態を図８に示す。この人体乾燥装置は、第６の実施の形態で用いた遮音ケース６５内に収納したホンプユニット５０の冷却パイプ６４を衛生洗浄装置の加熱器７２の上流すなわち、衛生洗浄装置の洗浄ポンプ７３と加熱器７２との間に介挿接続している。衛生洗浄装置は、用便等の後の洗浄時に洗浄水が洗浄ポンプ７３により加熱器７２に供給されて加温され、その温水が洗浄ノズル１０より被洗浄面に噴射し、被洗浄面を洗浄する。このとき洗浄水は加熱器７２に入る前に冷却パイプ６４を通ってポンプユニット５０により加温され、逆にポンプユニット５０は冷却される。一方人体乾燥装置は洗浄後に行われるもので、ポンプモータ５２が作動しポンプユニット５０が稼働して高圧空気を蓄圧手段２３にため、電磁弁２５を介して乾燥ノズル２４より洗浄後の被洗浄面を乾燥させる。この場合、洗浄ノズル１０で被洗浄面を洗浄している間にポンプユニット５０を稼働して高圧空気を蓄圧手段２３に溜めておき、洗浄後電磁弁２５を開いて被洗浄面に高圧空気を噴出させる。これによりポンプユニット５０の稼働中は冷却パイプ６４内を洗浄水が流れるので洗浄引用例によりポンプユニット５０が冷却される。ただし、洗浄後もポンプユニット５０を稼働させても冷却パイプ６４内の水によりある程度冷却されているので急激にポンプユニット５０が熱影響を受けることはなく、また洗浄後も乾燥時間中洗浄水が洗浄ノズル１０から噴射せず垂れ流しとなる程度の弱い圧力で洗浄水を冷却パイプ６４内に流すようにすることは可能である。このためポンプユニット５０は常に冷却パイプ６４により冷却させることができる。しかも、加熱器７２により加熱される前の低温の水でポンプユニット５０を冷却するので冷却効率が高められる。その他、第１の実施の形態と共通する。
【００４４】
この発明の第８の実施の形態を図９に示す。すなわち、第７の実施の形態において、洗浄ノズル１０を洗浄するノズル洗浄装置７７を設け、冷却手段５１は洗浄ノズル１０を洗浄する水をポンプユニット５０に導き冷却している。実施の形態では、加熱器７２とポンプユニット５０との間の配管７９に切り替え弁７６を設け、切り替え弁７６にノズル洗浄装置７７を接続している。ノズル洗浄装置７７は、衛生洗浄装置の洗浄ノズル１０から洗浄水を噴射して被洗浄面を洗浄した後に動作が行われるもので、洗浄ポンプ７３を停止することなく切り替え弁７６を切り替えて、冷却パイプ６４を通過した水をノズル洗浄装置７７のノズルより噴射させ、洗浄ノズル１０を洗浄する。一方人体乾燥装置も、洗浄水で被洗浄面を洗浄した後行われるものであるため、ノズル洗浄装置７７に流れ込む水でタイミングよくポンプユニット５０を冷却することができる。したがって、ポンプユニット５０を作動し人体乾燥を行うときと、タイミング的に好都合となり、乾燥工程前にポンプユニット５０を稼働する必要がなく、蓄圧手段２３のタンクを小さくすることが可能となる。
【００４５】
【発明の効果】
請求項１記載の人体乾燥装置によれば、ポンプユニットに冷却手段を設け、稼働時の発熱によるポンプユニットの温度上昇を抑え、耐久性の向上と安全性の確保を図れる。
【００４６】
請求項２記載の人体乾燥装置によれば、冷却手段として冷却ファンを追加することなくポンプユニットを冷却することができる。
【００４７】
請求項３記載の人体乾燥装置によれば、請求項１と同様な効果のほか、省スペース化および低コスト化を図れる。
【００４８】
請求項４記載の人体乾燥装置によれば、請求項１と同様な効果のほか、冷却手段として冷却ファンを追加することなくポンプユニットを冷却することができる。またポンプ熱を温風の加熱に利用できるので高温化が図れるとともに、温風乾燥装置のヒータの能力を小さくすることができる。
【００４９】
請求項５記載の人体乾燥装置によれば、請求項１と同様な効果のほか、省スペース化および低コスト化が図れる。
【００５０】
請求項６記載の人体乾燥装置によれば、請求項１と同様な効果のほか、ポンプユニットを遮音ケースに収納しても効率よくポンプユニットを冷却することができる。
【００５１】
請求項７記載の人体乾燥装置によれば、請求項１と同様な効果のほか、請求項６のような循環ポンプや切り替え弁が不要であり、省スペースとコストダウンを図ることができる。
【００５２】
請求項８記載の人体乾燥装置によれば、請求項７と同様な効果のほか、低温の水でポンプユニットを冷却するので、冷却効率を高めるとともに、加熱器の省エネルギーにもなる。
【００５３】
請求項９記載の人体乾燥装置によれば、請求項１と同様な効果のほか、ポンプユニットの稼働と、洗浄ノズルを洗浄する水の供給のタイミングがほぼ同じであるため、乾燥工程前にポンプユニットを稼働する必要がなく、蓄圧手段の例えば蓄圧タンクを小さくすることができる。
【図面の簡単な説明】
【図１】本発明の第１の実施の形態の衛生洗浄装置を備えた便器の斜視図である。
【図２】人体乾燥装置の一部破断斜視図である。
【図３】第２の実施の形態の人体乾燥装置および脱臭装置の一部破断斜視図である。
【図４】第３の実施の形態の人体乾燥装置および脱臭装置の一部破断斜視図である。
【図５】第４の実施の形態の人体乾燥装置および温風乾燥手段の一部破断斜視図である。
【図６】第５の実施の形態の人体乾燥装置および温風乾燥手段の一部破断斜視図である。
【図７】第６の実施の形態の人体乾燥装置の一部破断斜視図である。
【図８】第７の実施の形態の衛生洗浄装置の人体乾燥装置の一部破断斜視図である。
【図９】第８の実施の形態の衛生洗浄装置の人体乾燥装置の一部破断斜視図である。
【図１０】従来の衛生洗浄装置を備えた便器を示し、（ａ）は部分断面図、（ｂ）は平面図である。
【符号の説明】
１　　便器
１ａ　　便器ボウル
９　　水洗タンク
２２　　加圧手段
２３　　蓄圧手段
２４　　乾燥ノズル
２５　　電磁弁
４６　　ダクト本体
５０　　ポンプユニット
５１　　冷却手段
５２　　ポンプモータ
５７　　脱臭剤
５８　　吸引ファン装置
６０　　ヒータ
６１　　温風ファン装置
６３　　循環ポンプ
６４　　冷却パイプ
６５　　遮音ケース
７２　　加熱器
７３　　洗浄ポンプ
７６　　切り替え弁
７７　　ノズル洗浄装置
【図１】
2004092114.tif 000003
【図２】
2004092114.tif 000004
【図３】
2004092114.tif 000005
【図４】
2004092114.tif 000006
【図５】
2004092114.tif 000007
【図６】
2004092114.tif 000008
【図７】
2004092114.tif 000009
【図８】
2004092114.tif 000010
【図９】
2004092114.tif 000011
【図１０】
2004092114.tif 000012